【手続補正書】
【提出日】令和2年3月23日(2020.3.23)
【手続補正１】
【補正対象書類名】特許請求の範囲
【補正対象項目名】全文
【補正方法】変更
【補正の内容】
【特許請求の範囲】
【請求項１】
シートを収容する収容手段と、
前記収容手段に収容されているシートを搬送路へ供給する供給手段と、
前記供給手段により供給されたシートを前記搬送路において搬送する搬送手段と、
前記搬送手段により搬送されたシートに画像を形成する画像形成手段と、
前記搬送路を搬送されるシートの特性を表す特性パラメータ値を検知する第一検知手段と、
前記搬送路の所定位置でシートを検知するシート検知手段と、
前記シート検知手段へシートが到達するのに要する搬送時間を計時する計時手段と、
前記搬送時間が第一時間以上かどうかに基づき前記シートの搬送遅延を判別する遅延判別手段と、
前記第一検知手段により検知された特性パラメータ値が第一所定値を超えている場合において前記搬送遅延の発生した回数を計数する遅延計数手段と、
前記特性パラメータ値が前記第一所定値よりも大きな第二所定値を超えているか、または、前記搬送遅延の発生した回数が所定回数以上となると、その後の前記収容手段からのシートの供給をしないように制御する制御手段と、
を有することを特徴とする画像形成装置。
【請求項２】
前記搬送時間が前記第一時間よりも長い第二時間以上かどうかに基づき前記シートのジャムを判定する判定手段と、
前記ジャムの発生した回数を計数するジャム計数手段と
をさらに有し、
前記制御手段は、前記特性パラメータ値が前記第二所定値を超えているか、または、前記搬送遅延の発生した回数が前記所定回数以上となるか、または、前記ジャムの発生した回数が第二所定回数以上になると、その後の前記収容手段からのシートの供給をしないように制御することを特徴とする請求項１に記載の画像形成装置。
【請求項３】
前記ジャム計数手段は、前記特性パラメータ値が前記第一所定値を超えている状態で前記ジャムの発生した回数を計数するように構成されていることを特徴とする請求項２に記載の画像形成装置。
【請求項４】
前記シート検知手段は、前記画像形成手段よりも上流側に配置され、
前記遅延判別手段は、前記供給手段によりシートが供給されてから前記シート検知手段が前記シートを検知するまでに計時された前記搬送時間が前記第一時間以上かどうかに基づき前記シートの搬送遅延を判別することを特徴とする請求項１ないし３のいずれか一項に記載の画像形成装置。
【請求項５】
前記収容手段からのシートの供給をしないように制御されていることを示す報知を行う報知手段をさらに有することを特徴とする請求項１ないし４のいずれか一項に記載の画像形成装置。
【請求項６】
前記制御手段は、前記第一検知手段により検知された値に応じて前記画像形成手段における画像形成条件を制御することを特徴とする請求項１ないし５のいずれか一項に記載の画像形成装置。
【請求項７】
前記特性パラメータ値はシートの坪量に応じた値であることを特徴とする請求項１乃至６のいずれか一項に記載の画像形成装置。
【請求項８】
前記第二所定値は、前記供給手段による供給がされないように制御されるシートの下限坪量に対応する値であり、
前記第一所定値は、前記供給手段による供給が許容されるシートの上限坪量に対応する値であり、
前記第二所定値と前記第一所定値との差は前記第一検知手段による検知ばらつきに基づき定められていることを特徴とする請求項７に記載の画像形成装置。 
【請求項９】
シートを収容する収容手段と、
前記収容手段に収容されているシートを搬送路へ供給する供給手段と、
前記供給手段により供給されたシートを前記搬送路において搬送する搬送手段と、
前記搬送手段により搬送されたシートに画像を形成する画像形成手段と、
前記搬送路を搬送されるシートの特性を表す特性パラメータ値を検知する検知手段と、
前記特性パラメータ値が第一所定値よりも大きな第二所定値を超えると、前記収容手段からのシートを供給しないように制御し、前記特性パラメータ値が前記第一所定値を超えかつ前記第二所定値以下であれば前記収容手段からのシートを供給しないようにする制御を実行せず、前記特性パラメータ値が前記第一所定値以下であれば前記収容手段からのシートの供給を許可する供給制御手段と、
前記搬送路の所定位置でシートを検知するシート検知手段と、
前記シート検知手段へシートが到達するのに要する搬送時間に基づき前記シートの搬送遅延を判別する判別手段と、
前記特性パラメータ値が前記第一所定値を超えかつ前記第二所定値以下の場合に前記搬送遅延の発生した回数を計数する遅延計数手段と、
を有し、
前記供給制御手段は、前記特性パラメータ値が前記第一所定値を超えかつ前記第二所定値以下の場合に前記搬送遅延の発生した回数が所定回数以上になると、前記収容手段からのシートを供給しないように制御することを特徴とする画像形成装置。
【手続補正２】
【補正対象書類名】明細書
【補正対象項目名】０００５
【補正方法】変更
【補正の内容】
【０００５】
本発明は、たとえば、
シートを収容する収容手段と、
前記収容手段に収容されているシートを搬送路へ供給する供給手段と、
前記供給手段により供給されたシートを前記搬送路において搬送する搬送手段と、
前記搬送手段により搬送されたシートに画像を形成する画像形成手段と、
前記搬送路を搬送されるシートの特性を表す特性パラメータ値を検知する第一検知手段と、
前記搬送路の所定位置でシートを検知するシート検知手段と、
前記シート検知手段へシートが到達するのに要する搬送時間を計時する計時手段と、
前記搬送時間が第一時間以上かどうかに基づき前記シートの搬送遅延を判別する遅延判別手段と、
前記第一検知手段により検知された特性パラメータ値が第一所定値を超えている場合において前記搬送遅延の発生した回数を計数する遅延計数手段と、
前記特性パラメータ値が前記第一所定値よりも大きな第二所定値を超えているか、または、前記搬送遅延の発生した回数が所定回数以上となると、その後の前記収容手段からのシートの供給をしないように制御する制御手段と、
を有することを特徴とする画像形成装置を提供する。
【手続補正３】
【補正対象書類名】明細書
【補正対象項目名】００２３
【補正方法】変更
【補正の内容】
【００２３】
＜坪量からシートの種類を判別する方法と検知ばらつき＞
図７は坪量とシートＰの種類との対応関係を示している。横軸はシートＰの坪量を示している。図７に示された坪量やシートＰの種類はいずれも例示にすぎない。ＣＰＵ２００は、坪量と閾値とを比較することでシートＰの種類を判別する。ここでは、薄紙・普通紙・厚紙１・厚紙２といった搬送可能な四種類が例示されている。坪量が６０［ｇ／ｍ＾２］を超えかつ７５［ｇ／ｍ＾２］以下であれば、ＣＰＵ２００は種類を薄紙と判別する。坪量が７５［ｇ／ｍ＾２］を超えかつ９０［ｇ／ｍ＾２］以下であれば、ＣＰＵ２００は種類を普通紙と判別する。坪量が９０［ｇ／ｍ＾２］を超えかつ１５０［ｇ／ｍ＾２］以下であれば、ＣＰＵ２００は種類を厚紙１と判別する。坪量が１５０［ｇ／ｍ＾２］を超えかつｇｔｈ１［ｇ／ｍ＾２］以下であれば、ＣＰＵ２００は種類を厚紙２と判別する。ｇｔｈ１は、たとえば２００［ｇ／ｍ＾２］である。なお、坪量が２００［ｇ／ｍ＾２］を超えるシートＰのコシは強いため、搬送路１１０の湾曲部でシート詰まり（ジャム）が発生する可能性がある。
【手続補正４】
【補正対象書類名】明細書
【補正対象項目名】００４９
【補正方法】変更
【補正の内容】
【００４９】
●四ページ目
ＣＰＵ２００は四ページ目の印刷のためにＳ９１４からＳ９０１へ戻る。ここで禁止フラグＦ１がセットされているため、ＣＰＵ２００はＳ９４０へ進む。Ｓ９４０でＣＰＵ２００（フラグ管理部１００１）は「給紙禁止」を示す通知を表示部２４４に表示する。図１１（Ａ）は「給紙禁止」を示す通知の一例を示している。シートＰの実際の坪量が坪量閾値ｇｔｈ１を超えている可能性が高い場合には、搬送路でジャムが発生する可能性が高い。つまり、禁止猶予中に搬送遅延が頻発すると、ＣＰＵ２００は検知された坪量だけでなく、実際の坪量も坪量閾値ｇｔｈ１を超えている判定する。これにより、ジャムの発生を未然に防ぐことが可能となる。その後、ＣＰＵ２００は印刷ジョブを終了する。
【手続補正５】
【補正対象書類名】図面
【補正対象項目名】図１１
【補正方法】変更
【補正の内容】
【図１１】
2018158791.tif 000001